(57)【要約】【課題】ダクト本体を管理面及び運搬面、取り扱い面で有利な折畳み姿勢に自由に切換えることができるようにしながらも、折畳み時におけるダクト全長の増大を防止するとともに、ダクト本体を正規のダクト形状に伸展させたときの機械的強度も構造面、  コスト面等で有利に確保する。【解決手段】ダクト本体Ｄを構成する左右のダクト側板１が、それの下端部同士を連結する連結部材２に対してダクト長手方向に沿う軸芯Ｘ周りでの揺動により、起立姿勢と連結部材２上に倒伏させた姿勢とに切換え自在に構成され、更に、倒伏姿勢にあるダクト側板が起立姿勢に切換えられたとき、該ダクト側板１を起立姿勢に維持する姿勢維持手段Ｂが設けられ、更に、ダクト側板１側には、倒伏姿勢から起伏姿勢に切換えたとき、連結部材２の外側面の一部に接触又は近接する遊び規制手段Ｃが設けられている。【選択図】        図３
2004308874.tif 000002
【特許請求の範囲】
【請求項１】
左右一対のダクト側板とそれの下側部同士を連結する連結部材とを備えたダクト本体に、それの上部開口を覆う天蓋が脱着自在に装着されている配管用又は配線用化粧ダクトであって、
各ダクト側板が、連結部材に対するダクト長手方向に沿う軸芯周りでの起伏揺動により、起立姿勢と連結部材上に倒伏させた姿勢とに切換え自在に構成されているとともに、倒伏姿勢にあるダクト側板が起立姿勢に切換えられたとき、該ダクト側板を起立姿勢に維持する姿勢維持手段が設けられ、更に、ダクト側板側には、ダクト側板が倒伏姿勢から起伏姿勢に切換えられたとき、連結部材の外側面の一部に接触又は近接する遊び規制手段が設けられている配管用又は配線用化粧ダクト。
【請求項２】
左右一対のダクト側板とそれの下側部同士を連結する連結部材とを備えたダクト本体に、それの上部開口を覆う天蓋が脱着自在に装着されている配管用又は配線用化粧ダクトであって、
ダクト側板の下側部に設けられたブラケットと連結部材の端部側に設けられたアームとが、連結部材の上面よりも上方に偏位した部位においてダクト長手方向に沿う軸芯周りで揺動自在に枢支連結されているとともに、倒伏姿勢にあるダクト側板が起立姿勢に切換えられたとき、該ダクト側板を起立姿勢に維持する姿勢維持手段が設けられ、更に、ブラケットには、ダクト側板が倒伏姿勢から起伏姿勢に切換えられたとき、連結部材の外側面の一部に接触又は近接する遊び規制手段が設けられている配管用又は配線用化粧ダクト。
【請求項３】
前記遊び規制手段が、連結部材の側板部の上端に折り曲げ形成されたフランジ部の外側面に接触又は近接する第１規制片と、連結部材の側板部の外側面に接触又は近接する第２規制片とから構成されている請求項１又は２記載の配管用又は配線用化粧ダクト。
【請求項４】
前記第２規制片のダクト幅方向中央側の側辺部が、その先端ほど連結部材の側板部の外側面から離間する傾斜姿勢又は湾曲姿勢に形成されている請求項３記載の配管用又は配線用化粧ダクト。
【請求項５】
前記第１規制片のダクト幅方向中央側の側辺部が、その先端ほど連結部材のフランジ部の外側面から離間する傾斜姿勢又は湾曲姿勢に形成されている請求項３又は４記載の配管用又は配線用化粧ダクト。
【請求項６】
前記ダクト側板のブラケットが、連結部材の両フランジ部の相対向側辺に接触又は近接する状態で該連結部材の端部に対してダクト幅方向から差し込み連結自在に構成されているとともに、ブラケットに揺動自在に枢着されたアームが、連結部材の底板部に回動不能に当て付けられた状態で連結部材の両側板部にダクト長手方向に沿う取付け軸により取付けられている請求項３〜５のいずれか１項に記載の配管用又は配線用化粧ダクト。
【請求項７】
前記姿勢維持手段が、起立姿勢にあるダクト側板の下端部と連結部材の底板部との相対向する部位に係脱自在に形成された係合凸部と係合凹部とから構成されていて、倒伏姿勢にあるダクト側板が起立姿勢に切換えられたとき、係合凹部の周縁を乗り越えながら係合凸部と係合凹部とが係合するように構成されている請求項１〜６のいずれか１項に記載の配管用又は配線用化粧ダクト。
【請求項８】
前記姿勢維持手段が、起立姿勢にあるダクト側板のブラケットと連結部材のアームとの相対向する部位に、係合凹部と、これに対して揺動半径方向から係脱自在な可動係合体とを設けるとともに、倒伏姿勢にあるダクト側板が起立姿勢に切換えられたとき、可動係合体が係合凹部に係入するように移動付勢する付勢手段を設けて構成されている請求項２記載の配管用又は配線用化粧ダクト。
【請求項９】
左右一対のダクト側板とそれの下側部同士を連結する連結部材とを備えたダクト本体のうち、ダクト側板の下側部を連結部材の端部に対して起伏揺動自在に枢支連結する取付け具であって、
ダクト側板の下側部に取付けられるブラケットと連結部材の端部側に取付けられるアームとが、連結部材の上面よりも上方に偏位した部位においてダクト長手方向に沿う軸芯周りで揺動自在に枢支連結されているとともに、ブラケットとアームとの相対向する部位には、倒伏姿勢にあるダクト側板が起立姿勢に切換えられたとき、該ダクト側板を起立姿勢に維持する姿勢維持手段が設けられ、更に、ブラケットには、ダクト側板が倒伏姿勢から起伏姿勢に切換えられたとき、連結部材の外側面の一部に接触又は近接する遊び規制手段が設けられている化粧ダクト用取付け具。
【発明の詳細な説明】
【０００１】
【発明の属する技術分野】
本発明は、空調用配管や電気ケーブル等を配設する場合に用いられる化粧ダクトで、詳しくは、左右一対のダクト側板とそれの下端部同士を連結する連結部材とを備えたダクト本体に、それの上部開口を覆う天蓋が脱着自在に装着されている配管用又は配線用化粧ダクト及びそれに用いられる取付け具に関する。
【０００２】
【従来の技術】
従来の配管用又は配線用化粧ダクトの場合では、ダクト側板の内側面とそれに直角に当て付けられたＣ形チャンネル状の連結部材の両側板部とで形成される二つの入隅部のうち、一方の入隅部を構成するダクト側板の内側面と連結部材の一方の側板部とに亘って、ヒンジ軸芯が上下方向となるヒンジを取付けて、両ダクト側板と連結部材とを、各ヒンジ軸芯周りでの揺動操作によって重合する姿勢に折畳み自在に構成していた。（例えば、特許文献１参照。）。
【０００３】
【特許文献１】
特開平７−７１６８８号公報（第２−３頁、図２、図３）
【０００４】
【発明が解決しようとする課題】
従来の配管用又は配線用化粧ダクトでは、ダクト本体を構成する両ダクト側板と複数の連結部材とを重合姿勢に折畳むことができるから、折畳まれた多数のダクト本体を積み重ね状態で効率良く保管することができるばかりでなく、その折畳まれたままの状態で施工現場に搬入することができるので、運搬コストの低廉化と取り扱いの容易化を図ることができる利点がある。
【０００５】
しかしながら、ダクト側板の内側面とそれに直角に当て付けられた連結部材の両側板部とで形成される二つの入隅部のうち、一方の入隅部を構成するダクト側板の内側面と連結部材の一方の側板部とに亘ってヒンジを取付けることになるため、ダクト本体を正規のダクト形状に伸展したときの機械的強度が低下し易く、しかも、連結部材の上下方向に沿うヒンジ軸芯周りでの揺動代が両ダクト側板のダクト長手方向での位置ずれとして現れるため、折畳み姿勢での全長が正規のダクト形状に伸展したときよりも大きくなる。
【０００６】
また、ダクト本体を正規のダクト形状に伸展させたときの機械的強度を高めるためには、各連結部材の端部に、伸展時にダクト側板の内側面に接当する補強板を固着するとともに、この補強板と起立姿勢にあるダクト側板とをビス等で固定連結する必要があり、ダクトの重量化と製造コストの高騰化を招来するばかりでなく、伸展操作後における組付け作業工程数が増加する問題がある。
【０００７】
本発明は、上述の実状に鑑みて為されたものであって、その主たる課題は、ダクト本体を構成する両ダクト側板と連結部材との折畳み方向を合理的に改造することにより、ダクト本体を管理面及び運搬面、取り扱い面で有利な折畳み姿勢に自由に切換えることができるようにしながらも、折畳み時におけるダクト全長の増大を防止するとともに、ダクト本体を正規のダクト形状に伸展させたときの機械的強度も構造面、  コスト面等で有利に確保することのできる配管用又は配線用化粧ダクト及び化粧ダクト用取付け具を提供する点にある。
【０００８】
【課題を解決するための手段】
本発明の請求項１による特徴構成は、左右一対のダクト側板とそれの下側部同士を連結する連結部材とを備えたダクト本体に、それの上部開口を覆う天蓋が脱着自在に装着されている配管用又は配線用化粧ダクトであって、
各ダクト側板が、連結部材に対するダクト長手方向に沿う軸芯周りでの起伏揺動により、起立姿勢と連結部材上に倒伏させた姿勢とに切換え自在に構成されているとともに、倒伏姿勢にあるダクト側板が起立姿勢に切換えられたとき、該ダクト側板を起立姿勢に維持する姿勢維持手段が設けられ、更に、ダクト側板側には、ダクト側板が倒伏姿勢から起伏姿勢に切換えられたとき、連結部材の外側面の一部に接触又は近接する遊び規制手段が設けられている点にある。
【０００９】
上記特徴構成によれば、ダクト本体の両ダクト側板をダクト長手方向に沿う軸芯周りで連結部材上に倒伏させた姿勢に切換えることにより、ダクト本体を嵩低くコンパクトに折畳むことができるばかりでなく、折畳まれたダクト本体の両ダクト側板上に他のダクト本体の連結部材を安定良く積み重ねることができる。
【００１０】
また、倒伏姿勢にある各ダクト側板が起立姿勢に切換え操作されたときには、姿勢維持手段によって各ダクト側板を起立姿勢に維持することができるから、ダクト本体の伸展操作後に各ダクト側板を起立姿勢に維持するための特別な操作が不要になるとともに、連結部材に対する両ダクト側板の揺動軸芯がダクト長手方向に沿う軸芯に構成されているので、折畳み時と伸展時におけるダクト本体の全長が同一になり、例え、ダクト側板と連結部材との枢支連結幅がダクト長手方向で幅を有するものであっても、連結部材に対する各ダクト側板の姿勢切換えのための揺動操作に支障を与えることはない。
【００１１】
しかも、両ダクト側板と連結部材との枢支連結箇所に隙間（クリアランス）が発生していても、ダクト側板が倒伏姿勢から起伏姿勢に切換えられたとき、ダクト側板側に設けた遊び規制手段が連結部材の外側面の一部に接触又は近接して、枢支連結部での隙間に起因する両ダクト側板と連結部材とのガタツキを抑制することができる。
【００１２】
従って、ダクト本体を構成する両ダクト側板と連結部材との折畳み方向を上述の如く工夫することにより、ダクト本体を管理面及び運搬面、取り扱い面で有利な折畳み姿勢に自由に切換えることができるようにしながらも、折畳み時におけるダクト全長の増大化を防止して、包装資材の減容化と廃棄物の低減化を促進することができるとともに、ダクト本体を正規のダクト形状に伸展させたときのガタツキを抑制することができる。しかも、正規のダクト形状に伸展させたときの機械的強度も、ダクトの重量化や製造コストの高騰化或いは伸展操作後の作業工程数の増加を抑えつつ容易に確保することができる。
【００１３】
本発明の請求項２による特徴構成は、左右一対のダクト側板とそれの下側部同士を連結する連結部材とを備えたダクト本体に、それの上部開口を覆う天蓋が脱着自在に装着されている配管用又は配線用化粧ダクトであって、
ダクト側板の下側部に設けられたブラケットと連結部材の端部側に設けられたアームとが、連結部材の上面よりも上方に偏位した部位においてダクト長手方向に沿う軸芯周りで揺動自在に枢支連結されているとともに、倒伏姿勢にあるダクト側板が起立姿勢に切換えられたとき、該ダクト側板を起立姿勢に維持する姿勢維持手段が設けられ、更に、ブラケットには、ダクト側板が倒伏姿勢から起伏姿勢に切換えられたとき、連結部材の外側面の一部に接触又は近接する遊び規制手段が設けられている点にある。
【００１４】
上記特徴構成によれば、ダクト側板の下側部に設けられたブラケットと連結部材の端部側に設けられたアームとを、ダクト長手方向に沿う軸芯周りで倒伏姿勢に切換えることにより、ダクト本体を嵩低くコンパクトに折畳むことができるばかりでなく、折畳まれたダクト本体の両ダクト側板上に他のダクト本体の連結部材を安定良く積み重ねることができる。
【００１５】
また、倒伏姿勢にある各ダクト側板が起立姿勢に切換え操作されたときには、姿勢維持手段によって各ダクト側板を起立姿勢に維持することができるから、ダクト本体の伸展操作後に各ダクト側板を起立姿勢に維持するための特別な操作が不要になるとともに、連結部材のアームに対する各ダクト側板のブラケットの揺動軸芯がダクト長手方向に沿う軸芯に構成されているので、折畳み時と伸展時におけるダクト本体の全長が同一になり、例え、ダクト側板と連結部材との枢支連結幅がダクト長手方向で幅を有するものであっても、連結部材に対する各ダクト側板の姿勢切換えのための揺動操作に支障を与えることはない。
【００１６】
しかも、両ダクト側板と連結部材との枢支連結箇所に隙間（クリアランス）が発生していても、ダクト側板を倒伏姿勢から起伏姿勢に切換えたとき、ブラケットに設けられた遊び規制手段が連結部材の外側面の一部に接触又は近接して、枢支連結部での隙間に起因するダクト側板と連結部材とのガタツキを抑制することができるとともに、各ダクト側板が連結部材の上面に接当する倒伏姿勢に切換えられたとき、倒伏姿勢にある両ダクト側板の外側面が水平に近くなる。
【００１７】
従って、ダクト本体を構成する両ダクト側板と連結部材との折畳み方向を上述の如く工夫することにより、ダクト本体を管理面及び運搬面、取り扱い面で有利な折畳み姿勢に自由に切換えることができるようにしながらも、折畳み時におけるダクト全長の増大化を防止して、包装資材の減容化と廃棄物の低減化を促進することができる。しかも、ダクト本体を正規のダクト形状に伸展させたときのガタツキを抑制することができるとともに、正規のダクト形状に伸展させたときの機械的強度も、ダクトの重量化や製造コストの高騰化或いは伸展操作後の作業工程数の増加を抑えつつ容易に確保することができ、その上、折畳まれたダクト本体の多段積みの容易化をも図ることができる。
【００１８】
本発明の請求項３による配管用又は配線用化粧ダクトの特徴構成は、前記遊び規制手段が、連結部材の側板部の上端に折り曲げ形成されたフランジ部の外側面に接触又は近接する第１規制片と、連結部材の側板部の外側面に接触又は近接する第２規制片とから構成されている点にある。
【００１９】
上記特徴構成によれば、ダクト側板が倒伏姿勢から起伏姿勢に切換えられたとき、ダクト側板側に設けられた遊び規制手段の第１規制片が、連結部材のフランジ部の外側面に接触又は近接することにより、枢支連結部での隙間に起因するダクト側板と連結部材との上下方向でのガタツキを抑制することができ、更に、遊び規制手段の第２規制片が、連結部材の側板部の外側面に接触又は近接することにより、枢支連結部での隙間に起因するダクト側板と連結部材とのダクト長手方向でのガタツキを抑制することができる。
【００２０】
従って、遊び規制手段の第１・第２規制片により、ダクト本体を正規のダクト形状に伸展させたときのガタツキや捩れを効果的に抑制することができる。
【００２１】
本発明の請求項４による配管用又は配線用化粧ダクトの特徴構成は、前記第２規制片のダクト幅方向中央側の側辺部が、その先端ほど連結部材の側板部の外側面から離間する傾斜姿勢又は湾曲姿勢に形成されている点にある。
【００２２】
上記特徴構成によれば、ダクト側板を倒伏姿勢から起伏姿勢に切換える際、その切換え操作の前半側において、ダクト側板と連結部材との枢支連結箇所に発生している隙間（クリアランス）に起因するガタツキによって、第２規制片のダクト幅方向中央側の側辺部が連結部材の側板部の上端部側に接触しても、傾斜姿勢又は湾曲姿勢に形成された第２規制片の側辺部によるガイド作用により、両者の食い込みを回避することができる。
【００２３】
本発明の請求項５による配管用又は配線用化粧ダクトの特徴構成は、前記第１規制片のダクト幅方向中央側の側辺部が、その先端ほど連結部材のフランジ部の外側面から離間する傾斜姿勢又は湾曲姿勢に形成されている点にある。
【００２４】
上記特徴構成によれば、ダクト側板を倒伏姿勢から起伏姿勢に切換える際、その切換え操作の前半側において、ダクト側板と連結部材との枢支連結箇所に発生している隙間（クリアランス）に起因するガタツキによって、第１規制片のダクト幅方向中央側の側辺部が連結部材のフランジ部に接触しても、傾斜姿勢又は湾曲姿勢に形成された第１規制片の側辺部によるガイド作用により、両者の食い込みを回避することができる。
【００２５】
本発明の請求項６による配管用又は配線用化粧ダクトの特徴構成は、前記ダクト側板のブラケットが、連結部材の両フランジ部の相対向側辺に接触又は近接する状態で該連結部材の端部に対してダクト幅方向から差し込み連結自在に構成されているとともに、ブラケットに揺動自在に枢着されたアームが、連結部材の底板部に回動不能に当て付けられた状態で連結部材の両側板部にダクト長手方向に沿う取付け軸により取付けられている点にある。
【００２６】
上記特徴構成によれば、左右一対のダクト側板とそれの下側部同士を連結する連結部材とからなるダクト本体を組付ける場合、ダクト側板に取付けられたブラケットに、アームをダクト長手方向に沿う軸芯周りで起伏揺動自在に組付ける、又は、アームを起伏揺動自在に組付けてあるブラケットをダクト側板に取付けたのち、ダクト側板のブラケットを、連結部材の端部に対してダクト幅方向から差し込み連結して、連結部材の両側板部とアームとを取付け軸で組み付けるだけで済むから、組付け作業の能率化を図ることができる。
【００２７】
しかも、組付け状態では、アームが連結部材の底板部に回動不能に当て付けられた状態で連結部材の両側板部に軸止めされているから、アームを連結部材に対してガタッキのない状態で強固に取付けることができるとともに、ダクト側板のブラケットが、連結部材の両フランジ部の相対向側辺に接触又は近接するから、遊び規制手段との協働により、枢支連結部での隙間に起因するダクト側板と連結部材とのダクト長手方向でのガタツキを一層良好に抑制することができる。
【００２８】
本発明の請求項７による配管用又は配線用化粧ダクトの特徴構成は、前記姿勢維持手段が、起立姿勢にあるダクト側板の下端部と連結部材の底板部との相対向する部位に係脱自在に形成された係合凸部と係合凹部とから構成されていて、倒伏姿勢にあるダクト側板が起立姿勢に切換えられたとき、係合凹部の周縁を乗り越えながら係合凸部と係合凹部とが係合するように構成されている点にある。
【００２９】
上記特徴構成によれば、起立姿勢にあるダクト側板の下端部と連結部材の底板部との相対向する部位に係合凸部と係合凹部とを形成するだけであり、かつ、倒伏姿勢にあるダクト側板の起立姿勢への切換え操作を利用するから、ダクト側板を起立姿勢に維持するための姿勢維持手段を構造面、製造コスト面及び外観意匠面で有利に構成することができる。
【００３０】
本発明の請求項８による配管用又は配線用化粧ダクトの特徴構成は、前記姿勢維持手段が、起立姿勢にあるダクト側板のブラケットと連結部材のアームとの相対向する部位に、係合凹部と、これに対して揺動半径方向から係脱自在な可動係合体とを設けるとともに、倒伏姿勢にあるダクト側板が起立姿勢に切換えられたとき、可動係合体が係合凹部に係入するように移動付勢する付勢手段を設けて構成されている点にある。
【００３１】
上記特徴構成によれば、倒伏姿勢にあるダクト側板が起立姿勢に切換えられたとき、起立姿勢にあるダクト側板のブラケットと連結部材のアームとの相対向する部位に設けられた係合凹部と可動係合体とが付勢手段の移動付勢力で係合し、起立姿勢に切換えられたダクト側板の倒伏揺動を確実に阻止することができる。
【００３２】
本発明の請求項９による特徴構成は、左右一対のダクト側板とそれの下側部同士を連結する連結部材とを備えたダクト本体のうち、ダクト側板の下側部を連結部材の端部に対して起伏揺動自在に枢支連結する取付け具であって、
ダクト側板の下側部に取付けられるブラケットと連結部材の端部側に取付けられるアームとが、連結部材の上面よりも上方に偏位した部位においてダクト長手方向に沿う軸芯周りで揺動自在に枢支連結されているとともに、ブラケットとアームとの相対向する部位には、倒伏姿勢にあるダクト側板が起立姿勢に切換えられたとき、該ダクト側板を起立姿勢に維持する姿勢維持手段が設けられ、更に、ブラケットには、ダクト側板が倒伏姿勢から起伏姿勢に切換えられたとき、連結部材の外側面の一部に接触又は近接する遊び規制手段が設けられている点にある。
【００３３】
上記特徴構成によれば、ダクト側板の下側部に取付けられたブラケットと連結部材の端部側に取付けられたアームとを、ダクト長手方向に沿う軸芯周りで倒伏姿勢に切換えることにより、ダクト本体を嵩低くコンパクトに折畳むことができるばかりでなく、折畳まれたダクト本体の両ダクト側板上に他のダクト本体の連結部材を安定良く積み重ねることができる。
【００３４】
また、倒伏姿勢にある各ダクト側板が起立姿勢に切換え操作されたときには、ブラケットとアームとの相対向する部位に設けた姿勢維持手段によって各ダクト側板を起立姿勢に維持することができるから、ダクト本体の伸展操作後に各ダクト側板を起立姿勢に維持するための特別な操作が不要になるとともに、アームに対するブラケットの揺動軸芯がダクト長手方向に沿う軸芯に構成されているので、折畳み時と伸展時におけるダクト本体の全長が同一になり、例え、ダクト側板と連結部材との枢支連結構造がダクト長手方向で幅を有するものであっても、連結部材に対するダクト側板の姿勢切換えのための揺動操作に支障を与えることはない。
【００３５】
しかも、ブラケットとアームとの枢支連結部に隙間（クリアランス）が発生していても、ダクト側板を倒伏姿勢から起伏姿勢に切換えたとき、ブラケットに設けられた遊び規制手段が連結部材の外側面の一部に接触又は近接して、枢支連結部での隙間に起因するダクト側板と連結部材とのガタツキを抑制することができるとともに、各ダクト側板が連結部材の上面に接当する倒伏姿勢に切換えられたとき、倒伏姿勢にある両ダクト側板の外側面が水平に近くなる。
【００３６】
従って、ダクト本体を管理面及び運搬面、取り扱い面で有利な折畳み姿勢に自由に切換えることができるようにしながらも、折畳み時におけるダクト全長の増大化を防止して、包装資材の減容化と廃棄物の低減化を促進することができる。しかも、ダクト本体を正規のダクト形状に伸展させたときのガタツキを抑制することができるとともに、正規のダクト形状に伸展させたときの機械的強度も、ダクトの重量化や製造コストの高騰化或いは伸展操作後の作業工程数の増加を抑えつつ容易に確保することができ、その上、折畳まれたダクト本体の多段積みの容易化をも図ることができる。
【００３７】
【発明の実施の形態】
〔第１実施形態〕
図１〜図１２は、複数の空調用配管や電気ケーブル等を集合状態で配設する場合に用いられる化粧ダクトを示し、ダクト幅方向で相対向する左右一対の板金製のダクト側板（親桁）１と、ダクト長手方向で適当間隔ごとに配置して両ダクト側板１の下側部同士を連結する複数本（当該実施形態では二本）の金属製の連結部材（子桁）２とを備えたダクト本体Ｄに、それの上部開口を覆う板金製の天蓋３が脱着自在に装着されているとともに、ダクト側板１の下側部を連結部材２の端部に対して起伏揺動自在に枢支連結する取付け具Ａが設けられていて、各ダクト側板１は、連結部材２の端部に対してダクト長手方向に沿う水平軸芯Ｘ周りでの起伏揺動により、連結部材２に対して直交する起立姿勢と連結部材２上に倒伏させた姿勢とに切換え自在に構成されている。
【００３８】
前記取付け具Ａは、ダクト側板１の下側部に取付けられる金属製のブラケット６と、連結部材２の端部側に取付けられる金属製のアーム４とを主要構成として備えており、ブラケット６とアーム４とは、連結部材２の上面よりも上方に偏位した部位においてダクト長手方向に沿う水平軸芯Ｘ周りで揺動自在に枢支連結されているとともに、ブラケット６とアーム４との相対向する部位には、倒伏姿勢にあるダクト側板１が起立姿勢に切換えられたとき、該ダクト側板１を起立姿勢に維持する姿勢維持手段Ｂが設けられ、更に、ダクト側板１側であるブラケット６には、ダクト側板１が倒伏姿勢から起伏姿勢に切換えられたとき、連結部材２の外側面の一部に接触又は近接することにより、枢支連結部での隙間（クリアランス）に起因するダクト側板１と連結部材２とのガタツキ（遊び）を抑制する遊び規制手段Ｃが設けられている。
【００３９】
前記各ダクト側板１の中央側板部１Ａの下側部には、略４５度の角度でダクト幅方向内方下方に向かって延びる下部傾斜辺部１ａと、その下部傾斜辺部１ａの先端からダクト幅方向内方に向かって水平に延出される下部折曲げ縁部１ｂとが連続形成されており、下部折曲げ縁部１ｂには、金属製の底板や隣接するダクト本体Ｄの端部どうしを固定連結するための金属製の継手部材等に対する複数の取付け孔１ｃが貫通形成されている。
【００４０】
また、各ダクト側板１の中央側板部１Ａの上端部には、略４５度の角度でダクト幅方向内方上方に向かって延びる上部傾斜辺部１ｄと、その上部傾斜辺部１ｄの先端からダクト幅方向内方に向かって水平に延出される上部折曲げ縁部１ｅとが連続形成されており、上部折曲げ縁部１ｅには、天蓋３をビス９で脱着自在に締付け固定するためのナット（図示せず）が固着されているとともに、両ダクト側板１の上部折曲げ縁部１ｅに亘って横架される金属製の補強板１４の係止部１４ａに対する係止孔１ｆ、  及び、ダクト継手部材に対する複数の取付け孔１ｇが形成されている。
【００４１】
前記天蓋３の左右両側縁部には、両ダクト側板１の上部折曲げ縁部１ｅに沿って載置支持される水平辺部３ａと、上部傾斜辺部１ｄに沿って当て付けられる傾斜折曲げ縁部３ｂとが連続形成されていて、両ダクト側板１の上端部に対して嵌合状態で安定的に載置装着できるように構成されている。
【００４２】
前記連結部材２は、横断面形状がＣ形チャンネル状となるように、それの幅方向（ダクト長手方向）の四箇所において長手方向（ダクト幅方向）に沿って折り曲げ形成されていて、左右一対のダクト側板１の下部折曲げ縁部１ｂに亘って載架可能な長さを備えた底板部２ａと、  幅方向で相対向する一対の側板部２ｂと、それの上端から幅方向内方側の斜め下方に向かって延出される一対のフランジ部２ｃから構成されている。
【００４３】
また、前記連結部材２の両側板部２ｂにおける長手方向両端面２ｄの各々は、両ダクト側板１の下部折曲げ縁部１ｂに亘って載架させた状態で下部傾斜辺部１ａに接当可能な傾斜面に構成されている。
【００４４】
前記アーム４は、連結部材２の両フランジ部２ｃの相対向側辺間を通して上方に突出するダクト長手方向視略逆Ｌの字状の一対の側板部４ａと、それの屈曲箇所に亘って連設される繋ぎ板部４ｂとを、コの字状に折曲げ形成して構成されているとともに、それの下端面４ｃを連結部材２の底板部２ａに当て付けた回動不能な状態で、連結部材２の両側板部２ｂの端部に対してダクト長手方向に沿う一本の取付け軸５により脱着自在に固設されている。
【００４５】
前記取付け軸５は、連結部材２の両側板部２ｂに貫通形成された取付け孔２ｅ及びアーム４の両側板部４ａに貫通形成された第１取付け孔４ｄに対して一側方から抜き差し自在に挿入される頭部５ａ付き枢支ピンから構成されていて、その枢支軸部５ｂの先端側には、ベーターピン等の抜止めピン７を装着するための装着孔５ｃが貫通形成されている。
【００４６】
前記ブラケット６は、ダクト長手方向で相対向する一対の側板部６ａと、それの底辺に亘って連設される繋ぎ板部６ｂとを、ダクト幅方向視において上向きコの字状に折り曲げ形成するとともに、各側板部６ａには、ダクト側板１の中央側板部１Ａにリベット８でカシメ固定される一対の当て板部６ｃを直角に折り曲げ形成して構成されている。
【００４７】
更に、図１２に示すように、ブラケット６の両側板部６ａにおけるダクト方向での外面間隔Ｗ１が、両フランジ部２ｃの対向側辺間隔Ｗ２よりも僅かに小に構成されていて、連結部材２の両フランジ部２ｃの相対向側辺に接触又は近接する状態で該連結部材２の端部に対してダクト幅方向から抜き差し自在に差し込み連結されるように構成されているとともに、ブラケット６の両側板部６ａにおける上半側周縁部分には、互いに相手側に向かって突出するフランジ部６ｄが折り曲げ形成され、両フランジ部６ｄの相対向側辺間隔Ｗ３が、アーム４の両側板部４ａにおけるダクト長手方向での外面間隔Ｗ４よりも僅かに大に構成されている。
【００４８】
また、ブラケット６の両側板部６ａの揺動軸芯相当箇所に取付け孔６ｅを貫通形成するとともに、アーム４の両側板部４ａの揺動軸芯相当箇所に第２取付け孔４ｅを貫通形成して、これら取付け孔６ｅ，４ｅに亘って挿通される一本の取付け軸１０により、ブラケット６の両側板部６ａとアーム４の両側板部４ａとが、連結部材２の上面よりも上方に変位した位置においてダクト長手方向に沿う軸芯Ｘ周りで揺動自在に枢支連結されている。
【００４９】
前記取付け軸１０は、ブラケット６の両側板部６ａに形成された取付け孔６ｅ、及び、アーム４の両側板部４ａに形成された取付け孔４ｅに対して一側方から抜き差し自在に挿入される頭部１０ａ付き枢支ピンから構成されていて、その枢支軸部１０ｂの先端側には、ベーターピン等の抜止めピン７を装着するための装着孔１０ｃが貫通形成されている。
【００５０】
そして、両ダクト側板１は、図１、図９に示すように、枢支ピン１０の軸芯Ｘ周りでの揺動操作により、連結部材２の上面に対して直交又は略直交する起立姿勢と、図８、図１０  （イ）に示すように、上部折曲げ縁部１ｅの先端が連結部材２の上面に接当する倒伏姿勢とに切換え自在に構成されているとともに、両ダクト側板１が倒伏姿勢にある状態では、ダクト側板１における中央側板部１Ａの外側面が水平姿勢にあることが望ましいが、  当該実施形態では、それの上部折曲げ縁部１ｅ側ほど若干高くなる緩傾斜姿勢に構成されている。
【００５１】
しかし、倒伏姿勢にある両ダクト側板１の中央側板部１Ａが緩傾斜姿勢に構成されていても、ダクト本体Ｄを多段積みしたとき、下層側に位置するダクト本体Ｄの両ダクト側板１に亘って、上層側に位置するダクト本体Ｄの連結部材２が左右方向で二点支持されるため、ダクト本体Ｄの多段積みに支障を与えることはない。
【００５２】
次に、前記姿勢維持手段Ｂについて説明する。
図３〜図６に示すように、連結部材２の底板部２ａの端部における幅方向中央位置には、円錐台状又は部分球状に先細りながら貫通する第１係合凹部１５が下面側から打ち出し形成され、これの幅方向両側脇に位置するコーナー部には、矩形状に貫通する第２係合凹部１６が打ち抜き形成されているとともに、ダクト側板１の下部折曲げ縁部１ｂには、第１係合凹部１５に対して枢支ピン１０周りの揺動方向から係脱自在な円錐台状又は部分球状の第１係合凸部１７と、各第２係合凹部１６に対して枢支ピン１０周りの揺動方向から係脱自在な逆Ｖ字状の第２係合凸部１８が打ち出し形成されている。
【００５３】
また、第１係合凸部１７の先端移動軌跡と第１係合凹部１５の係入側周縁、  及び、第２係合凸部１８の先端移動軌跡と第２係合凹部１６の係入側周縁とが、ダクト側板１の弾性撓み変形で通過可能な若干の重なり代で交差するように構成されていて、倒伏姿勢にある各ダクト側板１が起立姿勢に切換えられたとき、第１係合凹部１５の係入側周縁及び第２係合凹部１６の係入側周縁を乗り越えながら、第１係合凸部１７と第１係合凹部１５及び第２係合凸部１８と第２係合凹部１６とが係合するように構成されている
【００５４】
更に、ブラケット６の両側板部６ａの外周縁のうち、フランジ部６ｄの先端に連続する部位に、枢支ピン１０の揺動軸芯Ｘを通る半径方向外方に向かって開口する第３係合凹部１９が形成されているとともに、アーム４の両側板部４ａのうち、ダクト側板１が起立姿勢にあるときブラケット６の第３係合凹部１９に相対向する部位には、第３係合凹部１９に対して径方向外方から係合可能なピン状又は軸状の可動係合体２０の両端側を径方向に沿って係脱移動自在に両持ち状態で支持する長孔状の支持孔２１が貫通形成され、更に、揺動軸芯Ｘを構成する枢支ピン１０と可動係合体２０とに亘って、倒伏姿勢にあるダクト側板１が起立姿勢に切換えられたとき、可動係合体２０を第３係合凹部１９に係入するように移動付勢する付勢手段の一例である引張コイルスプリング２２が張設されている。
【００５５】
また、ブラケット６の両フランジ部６ｄのうち、第３係合凹部１９を起点とする略９０度の揺動範囲に属する部分は、引張コイルスプリング２２の弾性付勢力（弾性復元力）に抗して可動係合体２０を係合解除位置に保持したまま、ダクト側板１の倒伏姿勢又は起立姿勢への揺動操作を案内することができるように、枢支ピン１０の揺動軸芯Ｘを半径中心とする円弧状の摺接ガイド面２３に構成されている。
【００５６】
そして、ダクト側板１が起立姿勢に切換えられると、ブラケット６の両側板部６ａに形成された第３係合凹部１９と、アーム４の両側板部４ａに貫通支持され、かつ、ブラケット６の両フランジ部６ｄの摺接ガイド面２３に沿って摺動案内されてきた可動係合体２０とが合致し、可動係合体１６が引張コイルスプリング２１の弾性付勢力で第３係合凹部１９内に係入して、ダクト側板１を起立姿勢に維持する。
【００５７】
つまり、この第１実施形態では、倒伏姿勢にあるダクト側板１が起立姿勢に切換えられたとき、ダクト側板１を起立姿勢に維持するための姿勢維持手段Ｂが、起立姿勢にあるダクト側板１の下端部と連結部材２の底板部２ａとの相対向する部位に係脱自在に形成された第１・第２係合凸部１７，１８と第１・第２係合凹部１５，１６を備えた第１姿勢維持機構と、起立姿勢にあるダクト側板１のブラケット６と連結部材２のアーム４との相対向する部位に設けられる第３係合凹部１９と可動係合体２０、倒伏姿勢にあるダクト側板１が起立姿勢に切換えられたとき、可動係合体２０を第３係合凹部１９内に係入するように移動付勢する付勢手段の一例である引張コイルスプリング２２を備えた第２姿勢維持機構から構成されている。
【００５８】
前記遊び規制手段Ｃは、ブラケット６の各当て板部６ｃに、連結部材２の側板部２ｂの上端に折り曲げ形成されたフランジ部２ｃの外側面（上面）に接触又は近接する第１規制片２４と、連結部材２の側板部２ｂの外側面に接触又は近接する第２規制片２５とをＬ字状に連続的に折曲げ形成して構成されているとともに、第２規制片２５のダクト幅方向中央側の側辺部２５ａが、その先端ほど連結部材２の側板部２ｂの外側面から離間する傾斜姿勢（又は湾曲姿勢）に形成されている。
【００５９】
そして、ダクト側板１が倒伏姿勢から起伏姿勢に切換えられたとき、ダクト側板１側に設けられた遊び規制手段Ｃの第１規制片２４が、連結部材２のフランジ部２ｃの外側面に接触又は近接することにより、枢支連結部での隙間（クリアランス）に起因するダクト側板１と連結部材２との上下方向でのガタツキ（遊び）を抑制することができ、更に、遊び規制手段Ｃの第２規制片２５が、連結部材２の側板部２ｂの外側面に接触又は近接することにより、枢支連結部での隙間（クリアランス）に起因するダクト側板１と連結部材２とのダクト長手方向でのガタツキ（遊び）を抑制することができる。
【００６０】
また、ダクト側板１を倒伏姿勢から起伏姿勢に切換える際、その切換え操作の前半側において、ダクト側板１と連結部材２との枢支連結箇所に発生している隙間（クリアランス）に起因するガタツキ（遊び）によって、第２規制片２５のダクト幅方向中央側の側辺部２５ａが連結部材２の側板部２ｂの上端部側又はフランジ部２ｃに接触しても、傾斜姿勢（又は湾曲姿勢）に形成された第２規制片２５の側辺部２５ａによるガイド作用により、両者２，２５の食い込みを回避することができる。
【００６１】
〔第２実施形態〕
図１３は、ダクト側板１が倒伏姿勢から起伏姿勢に切換えられたとき、連結部材２の外側面の一部に接触又は近接することにより、枢支連結部での隙間（クリアランス）に起因するダクト側板１と連結部材２とのガタツキ（遊び）を抑制する遊び規制手段Ｃの改良を示し、これは、ブラケット６の各当て板部６ｃに、連結部材２の側板部２ｂの上端に折り曲げ形成されたフランジ部２ｃの外側面（上面）に接触又は近接する第１規制片２４と、連結部材２の側板部２ｂの外側面に接触又は近接する第２規制片２５をＬ字状に連続的に折曲げ形成して構成されているとともに、第２規制片２５のダクト幅方向中央側の側辺部２５ａを、その先端ほど連結部材２の側板部２ｂの外側面から離間する傾斜姿勢に形成し、更に、第１規制片２４のダクト幅方向中央側の側辺部２４ａを、その先端ほど連結部材２のフランジ部２ｃの外側面（上面）から離間する傾斜姿勢に形成されている。
【００６２】
そして、ダクト側板１を倒伏姿勢から起伏姿勢に切換える際、その切換え操作の前半側において、ダクト側板１と連結部材２との枢支連結箇所に発生している隙間（クリアランス）に起因するガタツキ（遊び）によって、第１規制片２４のダクト幅方向中央側の側辺部２４ａが連結部材２のフランジ部２ｃに接触しても、傾斜姿勢に形成された第１規制片２４の側辺部２４ａによるガイド作用により、両者２，２４の食い込みを回避することができる。
【００６３】
尚、その他の構成は、第１実施形態で説明した構成と同一であるから、同一の構成箇所には、第１実施形態と同一の番号を付記してそれの説明は省略する。
【００６４】
〔第３実施形態〕
上述の第２実施形態では、遊び規制手段Ｃを構成する第１規制片２４のダクト幅方向中央側の側辺部２４ａを、その先端ほど連結部材２のフランジ部２ｃの外側面から離間する傾斜姿勢に形成したが、図１４に示すように、第１規制片２４のダクト幅方向中央側の側辺部２４ａを、その先端ほど連結部材２のフランジ部２ｃの外側面（上面）から離間するように、枢支ピン１０の揺動軸芯Ｘを半径中心とする円弧状に構成してもよい。
尚、その他の構成は、第１実施形態で説明した構成と同一であるから、同一の構成箇所には、第１実施形態と同一の番号を付記してそれの説明は省略する。
【００６５】
〔その他の実施形態〕
（１）上述の各実施形態では、倒伏姿勢にあるダクト側板１の起立姿勢への切換え操作を利用してダクト側板１を起立姿勢に維持するための姿勢維持手段Ｂを設けたが、ダクト側板１を倒伏姿勢に維持するロック機構を設けてもよい。
この場合、ロック機構を単独でロック状態とロック解除状態とに切換え操作自在に構成してもよいが、起立姿勢にあるダクト側板１の倒伏姿勢への切換え操作に連動してロック機構をロック状態に切換えるように構成してもよい。
【００６６】
（２）前記姿勢維持手段Ｂとしては、上述の各実施形態で説明した構造のものに限定されるものではなく、倒伏姿勢にあるダクト側板１の起立姿勢への切換え揺動に一体移動又は連動して係合又は嵌合若しくは圧接することによりダクト側板１を起立姿勢に維持することのできるものであれば、  如何なる構造に構成してもよい。
【００６７】
（３）上述の各実施形態では、アーム４の下端面４ｃを連結部材２の底板部２ａに当て付けた状態で枢着することにより、連結部材２に対してアーム４を回動不能に取付けたが、連結部材２とアーム４とをビスや溶接などの他の取付け手段で固設してもよい。
要するに、連結部材２に対するアーム４の取付け構造及びアーム４の形状は適宜変更可能である。
【００６８】
（４）上述の各実施形態では、遊び規制手段Ｃを、連結部材２の側板部２ｂの上端に折り曲げ形成されたフランジ部２ｃの外側面（上面）に接触又は近接する第１規制片２４と、連結部材２の側板部２ｂの外側面に接触又は近接する第２規制片２５とから構成したが、第１規制片２４又は第２規制片２５の何れか一方で構成してもよい。
【００６９】
（５）上述の各実施形態では、各ダクト側板１の下側部に設けられたブラケット６と連結部材２の端部に設けられたアーム４とを、連結部材２の上面よりも上方に偏位した部位においてダクト長手方向に沿う軸芯Ｘ周りで揺動自在に枢支連結したが、各ダクト側板１の側のブラケット６と連結部材２側のアーム４とを、連結部材２の上面と同じ高さ位置又はそれよりも下方に偏位した部位においてダクト長手方向に沿う軸芯Ｘ周りで揺動自在に枢支連結してもよい。
【００７０】
（６）上述の各実施形態では、子桁状に構成された複数本の連結部材２を、両ダクト側板１の相対向する複数箇所に亘って取付けたが、両ダクト側板１の長さが短い場合には、両ダクト側板１の相対向する一箇所に亘って一本の連結部材２を取付けてもよい。
また、前記連結部材２を、両ダクト側板１の下部開口を覆う底板から構成してもよい。
【図面の簡単な説明】
【図１】本発明の第１実施形態を示す化粧ダクトの開蓋状態の一部分解斜視図
【図２】ダクト本体の拡大斜視図
【図３】組立て前の要部の分解斜視図
【図４】組立て途中における要部の拡大斜視図
【図５】組立て後の要部の拡大斜視図
【図６】ダクト側板が傾斜姿勢にあるときの要部の拡大斜視図
【図７】ダクト側板が倒伏姿勢にあるときの取付け金具及び連結部材の斜視図
【図８】ダクト側板が倒伏姿勢にあるときの横断正面図
【図９】ダクト側板が起立姿勢にあるときの横断正面図
【図１０】（イ）〜（ハ）はダクト側板が倒伏姿勢、中間の傾斜姿勢、起立姿勢にあるときの要部の拡大横断正面図
【図１１】ダクト側板が中間の傾斜姿勢にあるときの取付け金具及び連結部材の拡大断面側面図
【図１２】ダクト側板が起立姿勢にあるときの取付け金具及び連結部材の拡大断面側面図
【図１３】本発明の化粧ダクトの第２実施形態を示し、ダクト側板が中間の傾斜姿勢にあるときの要部の拡大横断正面図
【図１４】本発明の化粧ダクトの第３実施形態を示し、ダクト側板が中間の傾斜姿勢にあるときの要部の拡大横断正面図
【符号の説明】
Ａ      取付け金具
Ｂ      姿勢維持手段
Ｃ      遊び規制手段
Ｄ      ダクト本体
Ｘ      揺動軸芯
１      ダクト側板
２      連結部材
２ａ    底板部
２ｂ    側板部
２ｃ    フランジ部
３      天蓋
４      アーム
５      取付け軸（枢支ピン）
６      ブラケット
１０    取付け軸（枢支ピン）
１５    係合凹部（第１係合凹部）
１６    係合凹部（第２係合凹部）
１７    係合凸部（第１係合凸部）
１８    係合凸部（第２係合凸部）
１９    係合凹部（第３係合凹部）
２０    可動係合体
２２    付勢手段（引張コイルスプリング）
２４    第１規制片
２４ａ  側辺部
２５    第２規制片
２５ａ  側辺部
【図１】
2004308874.tif 000003
【図２】
2004308874.tif 000004
【図３】
2004308874.tif 000005
【図４】
2004308874.tif 000006
【図５】
2004308874.tif 000007
【図６】
2004308874.tif 000008
【図７】
2004308874.tif 000009
【図８】
2004308874.tif 000010
【図９】
2004308874.tif 000011
【図１０】
2004308874.tif 000012
【図１１】
2004308874.tif 000013
【図１２】
2004308874.tif 000014
【図１３】
2004308874.tif 000015
【図１４】
2004308874.tif 000016